(57)【要約】      （修正有）【課題】ごみが視界に入らないようにできる便器装置を提供する。【解決手段】便器装置は、便器と、便器の外面に内側に凹没して設けられごみ２５ａを収集する収集部２と、を備える。収集部２は、ごみ２５ａを投入する投入口２２と、投入口２２を開閉自在に覆う投入用扉２２ａと、を有する。便器装置は、投入口２２を通して収集部２内を見る視界２６に収集部２内のごみ２５ａが入らないようにするための隠蔽手段３を備え、隠蔽手段３は、遮蔽部３１または配管の内壁である。【選択図】図３
2016011545.tif 000002
【特許請求の範囲】
【請求項１】
便器と、前記便器の外面に内側に凹没して設けられごみを収集する収集部と、を備え、
前記収集部は、ごみを投入する投入口と、前記投入口を開閉自在に覆う投入用扉と、を有し、
前記投入口を通して前記収集部内を見る視界に前記収集部内のごみが入らないようにするための隠蔽手段を備えることを特徴とする便器装置。
【請求項２】
前記隠蔽手段は、前記投入用扉に設けられ、前記収集部内のごみが前記視界に入らないように遮る遮蔽部であることを特徴とする請求項１に記載の便器装置。
【請求項３】
前記隠蔽手段は、前記投入口と連通する配管に設けられ、前記収集部内のごみが前記視界に入らないように遮る前記配管の内壁であることを特徴とする請求項１に記載の便器装置。
【請求項４】
便器と、前記便器の外面に内側に凹没して設けられごみを収集する収集部と、を備え、
収集部は、ごみを投入する投入口と、前記投入口を開閉自在に覆う投入用扉と、前記投入口の下方に配置されごみを蓄積する蓄積部と、を有し、
前記投入口と前記蓄積部は、前記投入口から前記蓄積部に溜められたごみに届く光が所定量以下になるように、所定距離をあけて配置されることを特徴とする便器装置。
【請求項５】
前記収集部は、前記投入口より下方に位置しごみを回収するための回収口を備え、
前記回収口は、回収用扉により開閉自在に覆われることを特徴とする請求項１乃至請求項４のいずれか一項に記載の便器装置。
【請求項６】
前記回収用扉には、施錠手段が取付けられることを特徴とする請求項５に記載の便器装置。
【請求項７】
前記収集部には、前記投入口から投入されたごみをパッキングするパック装置が設置されることを特徴とする請求項１乃至請求項６のいずれか一項に記載の便器装置。
【請求項８】
前記収集部には、内部空間に帯電微粒子水を散布するための静電霧化装置が設置されることを特徴とする請求項１乃至請求項６のいずれか一項に記載の便器装置。
【発明の詳細な説明】
【技術分野】
【０００１】
本発明は、便器装置に関する。
【背景技術】
【０００２】
従来、便器に出入自在に設置されごみを収集する収集部と、ごみを投入するため収集部に形成される投入口と、を備えた便器装置が知られている（例えば特許文献１参照）。
【先行技術文献】
【特許文献】
【０００３】
【特許文献１】実開昭６３−１４６８０号公報
【発明の概要】
【発明が解決しようとする課題】
【０００４】
ところで、特許文献１に記載されている発明では、ごみを収集部に投入する際、投入口から収集部に溜められたごみが視界に入ってしまっていた。
【０００５】
本発明は上記従来の問題点に鑑みて発明したものであって、その目的とするところは、ごみが視界に入らないようにすることができる、便器装置を提供することを課題とするものである。
【課題を解決するための手段】
【０００６】
上記課題を解決するために、本発明は、以下のような構成とする。
【０００７】
便器と、前記便器の外面に内側に凹没して設けられごみを収集する収集部と、を備え、前記収集部は、ごみを投入する投入口と、前記投入口を開閉自在に覆う投入用扉と、を有し、前記投入口を通して前記収集部内を見る視界に前記収集部内のごみが入らないようにするための隠蔽手段を備えることを特徴とする。
【０００８】
便器と、前記便器の外面に内側に凹没して設けられごみを収集する収集部と、を備え、収集部は、ごみを投入する投入口と、前記投入口を開閉自在に覆う投入用扉と、前記投入口の下方に配置されごみを蓄積する蓄積部と、を有し、前記投入口と前記蓄積部は、前記投入口から前記蓄積部に溜められたごみに届く光が所定量以下になるように、所定距離をあけて配置されることを特徴とする。
【発明の効果】
【０００９】
本発明の便器装置では、投入用扉が開状態のときに、蓄積部内のごみが投入口を通して視界に入らないようにすることができる。
【００１０】
また、投入口と蓄積部を所定距離あけて配置し、蓄積部内のごみに所定量以下の光しか届かないようにすることにより、目でごみを認識できなくすることができる。
【図面の簡単な説明】
【００１１】
【図１】図１は便器装置の分解斜視図である。
【図２】図２は収集部における視界を示す参考例としての断面図である。
【図３】図３Ａは隠蔽手段として遮蔽部を備えた投入用扉の開状態を示した断面図であり、図３Ｂは閉状態を示した断面図である。
【図４】図４は隠蔽手段の変形例として、投入口と蓄積部の間に配管を配置した断面図である。
【図５】図５は投入口と蓄積部が所定距離をあけて配置された断面図である。
【図６】図６Ａは収集部にパック装置が設置された拡大斜視図であり、図６Ｂはパック装置のカートリッジの拡大断面図である。
【図７】図７Ａはパック装置にごみを投入したときの説明図であり、図７Ｂは投入用扉を閉状態にしたときの説明図であり、図７Ｃはカートリッジに取付けられたヒーターカッターによりビニールが切断・溶着されたときの説明図である。
【図８】図８は収集部に静電霧化装置が設置された透過図である。
【図９】図９は静電霧化装置の断面図である。
【発明を実施するための形態】
【００１２】
以下、本発明の実施形態について図１乃至図９に基づいて説明する。
【００１３】
便器１は、本実施形態では、合成樹脂製の便器１であるが、陶器製の便器１でもよく特に限定されない。本実施形態の便器１はタンクレス方式であり、洗浄水の搬送圧として水道圧をそのまま利用したり、圧送ポンプを設けて圧送したりすることができる。なお、便器１はこれ以外の構造であってもよく、例えば水源としてのロータンクの貯留水が開閉弁を介して流されるタンク式のものであってもよい。
【００１４】
便器１は、図１に示すように、便器本体５と、便器本体５の側方を覆うスカート部６と、を備える。
【００１５】
便器本体５は、ボウル部５１と、ボウル部５１の後部にボウル部５１内の水を排水するために内装されるトラップ装置５２と、便器本体５に装着され支持・補強する金属製の支持フレーム５３と、を備える。
【００１６】
トラップ装置５２は、トラップケース５２ａと、トラップケース５２ａ内に設けられたフレキシブルなトラップ筒（図示せず）と、を備える。
【００１７】
トラップ筒の一端はボウル部５１の排水口に接続され、他端は自由端となる。トラップ筒は、操作部を操作して図示しないモーターを駆動することで屈曲する。そしてトラップ筒では、自由端側の開口を上向きとした状態と、自由端側の開口を下向きとし、排水がなされる状態と、に切換えることができる。トラップケース５２ａは、床等に設けられた外部排水路に連通する。従って、トラップ筒の自由端側の開口を下向きとすることで、ボウル部５１内の溜め水がトラップ筒とトラップケース５２ａを介して外部排水路に排出される。
【００１８】
支持フレーム５３は、床に設置される下フレーム材５３ａと、下フレーム材５３ａの後部に立設された後フレーム材５３ｂを備える。後フレーム材５３ｂには、便器本体５に内装される内装機器として、局部洗浄装置、脱臭装置、制御回路等を一群に収納する機器ケース５４が設けられる。機器ケース５４には、ケースカバー５５が着脱自在に取付けられる。なお、局部洗浄装置、脱臭装置は任意の構成であり、また既存のものが適宜利用可能であるので、詳細な説明は省略する。
【００１９】
スカート部６は、便器本体５の前半部を覆うフロントスカート６１と、便器本体５の後半部の両側端部を覆う一対のサイドスカート６２と、便器本体５の後半部の後端部を覆うリアスカート６３と、で設けられる。
【００２０】
フロントスカート６１は、平面視で後方に向かって開口した略Ｕ字状となる。フロントスカート６１は、ボウル部５１とボウル部５１上に位置するリム部５１ａと溶着又は接着により一体に形成される。ボウル部５１とリム部５１ａとフロントスカート６１は、下フレーム材５３ａと後フレーム材５３ｂに着脱自在に支持される。
【００２１】
一対のサイドスカート６２の一方は平面視で略Ｌ字状となり、他方のサイドスカート６２は平面視で略逆Ｌ字状となる。夫々のサイドスカート６２は、上サイドスカート６２ａと、下サイドスカート６２ｂと、を有する。上サイドスカート６２ａは、フロントスカート６１とリアスカート６３とケースカバー５５に着脱自在に取付けられる。下サイドスカート６２ｂは、上サイドスカート６２ａとフロントスカート６１とリアスカート６３と下フレーム材５３ａに着脱自在に取付けられる。
【００２２】
リアスカート６３は、ケースカバー５５と下フレーム材５３ａに着脱自在に取付けられる。
【００２３】
便器本体５とスカート部６の間には、機能空間１１が形成される。リアスカート６３と左右のサイドスカート６２で囲まれる、機能空間１１の後半部には、トラップ装置５２と機器ケース５４が配置される。フロントスカート６１で囲まれる、機能空間１１の前半部には、ボウル部５１が配置される。
【００２４】
便器１の外面には、内側に凹没しごみ２５ａを収集する収集部２が設けられる。収集部２は、本実施形態では、図１に示すように、フロントスカート６１の側面部に設けられるが、その設けられる場所は限定されない。収集部２は、上方と外方に向かって開口した箱型の形状をしている。収集部２は、フロントスカート６１と一体に形成されるが、別体に形成しフロントスカート６１に取付けてもよい。収集部２は、フロントスカート６１と同じ材質で形成されるのが好ましいが、特に限定されない。
【００２５】
収集部２は、本実施形態では、便器１の外部空間と収集部２の内部空間とを連通し、ごみ２５ａを投入する投入口２２と、投入口２２より下方に位置しごみ２５ａを回収するための回収口２３と、を備える。投入口２２と回収口２３との間には、仕切り部２４が設けられる。
【００２６】
投入口２２は、本実施形態では、側面視矩形状となっているが、その形状は限定されない。投入口２２は、投入用扉２２ａにより開閉自在に覆われる。投入用扉２２ａには、投入用扉２２ａを開閉自在に動かすための引手が設けられる。投入用扉２２ａは、投入口２２の縁の側端部の下側に軸支される。投入用扉２２ａは、投入口２２を閉塞する閉状態から外側斜め下方向に回転し、開状態となる。投入用扉２２ａは、開状態から内側斜め上方向に回転し、閉状態となる。
【００２７】
回収口２３は、本実施形態では、側面視矩形状となっているが、その形状は限定されない。回収口２３は、回収用扉２３ａにより開閉自在に覆われる。回収用扉２３ａには、回収用扉２３ａを開閉自在に動かすための引手が設けられる。回収用扉２３ａは、回収口２３の縁の側端部の下側に軸支される。回収用扉２３ａは、回収口２３を閉塞する閉状態から外側斜め下方向に回転し、開状態となる。回収用扉２３ａは、開状態から内側斜め上方向に回転し、閉状態となる。
【００２８】
また、回収用扉２３ａには、例えば鍵と錠を用いた施錠手段が取付けられることが好ましい。なお、施錠手段は、鍵と錠を用いた手段に限定されない。これにより、回収用扉２３ａのセキュリティが向上し、ごみ２５ａが他人に見られることを抑制できる。
【００２９】
収集部２の内部には、投入口２２の下方にごみ２５ａを蓄積する蓄積部２５が配置される。蓄積部２５は、本実施形態では、図１に示すように、上方に向かって開口したケースとなる。蓄積部２５には、収集部２の内部から引出すための引手が蓄積部２５の外側の面の上端部に設けられる。蓄積部２５に溜められたごみ２５ａは、回収用扉２３ａを開け、回収口２３から蓄積部２５を取出すことにより回収される。従って、蓄積部２５は、収集部２内に回収口２３を介して出し入れ自在に収納される。蓄積部２５の大きさは、回収口２３を通過できる程度となる。
【００３０】
本実施形態の便器１では、投入用扉２２ａを開状態にすると投入口２２が現れ、その投入口２２を通して見える収集部２の内部が視界２６に入る。視界２６は、図２に示すように、投入口２２を臨む目と投入口２２との角度によってその範囲が決まる。
【００３１】
投入用扉２２ａを開状態にし、外側斜め上方から見たとき、収集部２の内部の上端部から中間部にかけての範囲が視界２６に入る。このような視界２６において、蓄積部２５に溜められたごみ２５ａが視界２６に入ってしまうことがある。そのため、本実施形態の収集部２は、蓄積部２５内のごみ２５ａが視界２６に入らないようにするための隠蔽手段３を備える。
【００３２】
隠蔽手段３は、図３Ａ，Ｂに示すように、投入用扉２２ａに設けられ、蓄積部２５内のごみ２５ａが視界２６内に入らないように遮る遮蔽部３１であることが好ましい。
【００３３】
遮蔽部３１は、投入用扉２２ａの回転基端から所定角度傾けて突出して設けられる。投入用扉２２ａが閉状態のとき、収集部２の投入用扉２２ａと対向する壁（以下、奥壁２１と記載する）と遮蔽部３１の先端との間には、図３Ｂに示すように、ごみ２５ａが通過できる通過隙間２８が形成される。投入用扉２２ａが開状態のとき、収集部２の奥壁２１と遮蔽部３１の先端との間には、図３Ａに示すように、通過隙間２８が形成されず、蓄積部２５の上方の空間が閉塞される。これにより、視界２６が遮蔽され、投入口２２から蓄積部２５に溜められたごみ２５ａが見えなくなる。ここで、遮蔽部３１と投入用扉２２ａとの所定角度は、投入用扉２２ａが閉状態のとき通過隙間２８が形成され、投入用扉２２ａが開状態のとき通過隙間２８が形成されないようになる角度である。
【００３４】
また、隠蔽手段３の変形例として、投入口２２と連通する配管３２の内壁であってもよい。配管３２は、図４に示すように、投入口２２と蓄積部２５を繋ぐ。そして、配管３２の内壁により、蓄積部２５内のごみ２５ａが視界２６に入らないように遮られる。
【００３５】
配管３２の内壁により視界２６を遮る構成として、投入口２２と蓄積部２５の間で配管３２を屈曲させることが考えられる。配管３２は、例えば図４に示すように、投入口２２と蓄積部２５の間で、投入口２２から奥壁２１側に行く程下方に位置するように傾斜し、その傾斜の終端部から投入口２２側に行く程下方に位置するように傾斜する、という形状が考えられる。なお、配管３２の形状は、上記したものに限定されない。
【００３６】
また、図５に示すように、投入口２２と蓄積部２５は、蓄積部２５に溜められたごみ２５ａに届く光が所定量以下になるように、所定距離をあけて配置されるものであってもよい。
【００３７】
便器１を備えたトイレルームに取付けられた照明からの光が投入口２２から入射することにより、収集部２の内部には、明部２９と暗部２７が形成される。ここで、明部２９と暗部２７は、投入口２２から入射する照明の光の角度と、投入用扉２２ａや仕切り部２４や回収用扉２３ａやスカート部６によって変化してしまう。例えば、投入口２２と蓄積部２５の距離が離れると、仕切り部２４の上下方向の大きさが大きくなるので、それに伴い明部２９は狭くなり、暗部２７は広くなる。
【００３８】
しかし、明部の光の量は光源によって決まる。そして、図２に示す投入口２２と蓄積部２５の距離Ｄ１よりも、図５に示す投入口２２と蓄積部２５の距離Ｄ２の方が大きい。従って、投入口２２と蓄積部２５が距離Ｄ１離れたときのごみ２５ａに届く光の量よりも、投入口２２と蓄積部２５が距離Ｄ２離れたときのごみ２５ａに届く光の量は少なくなる。
【００３９】
所定量以下の光とは、ごみ２５ａに届く光の量が、ごみ２５ａを目で認識できなくなる程度の光の量のことをいう。そして、所定距離とは、ごみ２５ａに届く光の量が所定量以下になる距離のことをいう。
【００４０】
なお、機能空間１１の後半部に設置される機器ケース５４の内装機器の一部を機能空間１１の前半部に移設し、機能空間１１の後半部に収集部２を設けてもよい。このとき、ケースカバー５５には、ごみを投入する投入口２２が形成される。そして、機能空間１１の後半部には、投入口２２と連通し上下方向に長い収集部２が設けられる。収集部２内には、投入口２２から下方向に所定距離離して蓄積部２５が設置される。このような構成であっても、蓄積部２５内のごみ２５ａに届く光の量が所定量以下になるように、投入口２２と蓄積部２５を所定距離離して配置することができる。
【００４１】
隠蔽手段３を備えた便器装置では、使用者が投入用扉２２ａを開いたとき、蓄積部２５内に溜められたごみ２５ａが、隠蔽手段３により使用者の視界２６に入らないようにできる。また、投入口２２と蓄積部２５を所定距離あけて配置することにより、所定量以下の光しかごみ２５ａに届かなくなるので、目でごみ２５ａを認識できなくすることができる。
【００４２】
更に、便器装置は、以下に示す構成を備えることにより、付加的な効果を奏し得る。
【００４３】
収集部２には、本実施形態では、図６Ａ，Ｂに示すように、投入用扉２２ａを開状態にし、投入口２２から投入されたごみ２５ａを、ビニール４１でパッキングするパック装置４が設置されることが好ましい。
【００４４】
パック装置４は、長尺であり且つ筒状のビニール４１を縮めたものを収納するカートリッジ４２と、カートリッジ４２を保持するカートリッジホルダー４３と、投入用扉２２ａが閉状態になったことを検知する検知部（図示せず）を有する。
【００４５】
カートリッジホルダー４３は、図６Ｂに示すように、投入口２２の上縁部の内面に取付けられる固定側ホルダー４３ａと、投入用扉２２ａの上端部の内面に取付けられる可動側ホルダー４３ｂと、で設けられる。固定側ホルダー４３ａのスカート部６の内面と対向する垂下片４３ｃの下端部には、固定側ヒーターカッター４４が装着される。可動側ホルダー４３ｂの投入用扉２２ａの内面と対向する立上り片４３ｄの上端部には、可動側ヒーターカッター４５が装着される。固定側ヒーターカッター４４と可動側ヒーターカッター４５により、ビニール４１は溶着・切断される。
【００４６】
カートリッジ４２は、固定側ホルダー４３ａに装着される固定側カートリッジ４２ａと、可動側ホルダー４３ｂに装着される可動側カートリッジ４２ｂと、で設けられる。固定側カートリッジ４２ａと可動側カートリッジ４２ｂには筒状のビニール４１を縮めたものが収納される。可動側カートリッジ４２ｂの投入用扉２２ａの開方向への移動に伴って、そのビニール４１は、固定側カートリッジ４２ａと可動側カートリッジ４２ｂから引き出され、固定側カートリッジ４２ａと可動側カートリッジ４２ｂの間に広げられる。
【００４７】
パック装置４の使用方法について以下に示す。
【００４８】
図７Ａに示すように、使用者が投入用扉２２ａを開方向に引くと、可動側カートリッジ４２ｂと固定側カートリッジ４２ａからビニール４１が引き出され、固定側カートリッジ４２ａと可動側カートリッジ４２ｂの間に広げられる。使用者は、この広げられたビニール４１にごみ２５ａを投入し、ビニール４１が引き出されるようにごみ２５ａを押し込む。使用者は、図７Ｂに示すように、投入用扉２２ａを閉方向に押し、投入用扉２２ａを閉状態にする。投入用扉２２ａが閉状態になったことを検知部が検知すると、固定側ヒーターカッター４４と可動側ヒーターカッター４５が加熱される。そして、図７Ｃに示すように、固定側ヒーターカッター４４と可動側ヒーターカッター４５の間にあるビニール４１が溶着・切断されることにより、ごみ２５ａがビニール４１でパッキングされる。パッキングされたごみ２５ａは、そのまま蓄積部２５に落ちていく。
【００４９】
上記したパック装置４が収集部２に設置されることにより、蓄積部２５に溜まるごみ２５ａから発生する悪臭が漏れることを抑制できる。
【００５０】
また、収集部２には、図８に示すように、上記したパック装置４ではなく、収集部２の内部空間に帯電微粒子水７１を散布するための、静電霧化装置７が設置されることが好ましい。静電霧化装置７は、収集部２の一方側の側壁に設けられる装置設置部１２に設置される。装置設置部１２の内部空間と収集部２の内部空間は連通する。装置設置部１２には、静電霧化装置７で発生した帯電微粒子水７１を収集部２の内部空間に送るための送風ファン１２ａが設置される。
【００５１】
静電霧化装置７は、図９に示すように、高電圧印加部７２と、高電圧印加部７２で発生させた高電圧が印加される霧化電極７３と、霧化電極７３と対向する対向電極７４と、霧化電極７３に霧化させるべき水を供給する水供給手段７５と、を備える。
【００５２】
霧化電極７３と対向電極７４は、ケーシングとなる略筒状体をした筐体に取付けられる。筐体の一方の端縁には中央の孔部を介して筐体の内外が連通される対向電極７４が取付けられ、他方の端縁には水供給手段７５が取付けられる。本実施形態では、水供給手段７５は冷却手段７６によって空気中の水蒸気を結露させるもので、冷却手段７６には半導体熱交換素子であるペルチェモジュールが用いられる。ペルチェモジュールは、冷却のために筒状をした筐体の他方の端縁に取付けられる冷却部に接続される。冷却部の筐体内に位置する部分である基台部には、霧化電極７３が立設される。
【００５３】
対向電極７４と霧化電極７３とは、平面視において対向電極７４の中央の孔部の中心部に霧化電極７３が配置され、側面視において対向電極７４と霧化電極７３の先端部とが一定間隔をおいて配置される。そして、高電圧印加部７２によって対向電極７４と霧化電極７３との間に高電圧が印加される。なお、対向電極７４は任意の構成要素である。
【００５４】
上記したような静電霧化装置７では、静電霧化装置７から発生した帯電微粒子水７１に含まれるスーパーオキサイドラジカルやヒドロキシラジカルが、脱臭効果や除菌効果、アレルゲン不活性化等の効果を付加する。
【００５５】
このような静電霧化装置７から発生した帯電微粒子水７１が、送風ファン１２ａにより収集部２の内部空間に送られることで、蓄積部２５に溜められたごみ２５ａの悪臭を抑制することができる。
【００５６】
また、収集部２の側壁の下端部と蓄積部２５の側壁の下端部には、蓄積部２５に溜められたごみ２５ａの悪臭を換気するための通気孔（図示せず）が形成されてもよい。これにより、ごみ２５ａの悪臭が収集部２に溜まり難くなるので、投入用扉２２ａが開状態になったとき、ごみ２５ａの悪臭を使用者が嗅いでしまうことを抑制できる。
【００５７】
本実施形態の便器装置は、以下のような構成となる。
【００５８】
便器装置は、便器１と、便器１の外面に内側に凹没して設けられごみ２５ａを収集する収集部２と、を備える。収集部２は、ごみ２５ａを投入する投入口２２と、投入口２２を開閉自在に覆う投入用扉２２ａと、を有する。便器装置は、投入口２２を通して収集部２内を見る視界２６に収集部２内のごみ２５ａが入らないようにするための隠蔽手段３を備えることを特徴とする。
【００５９】
これにより、使用者が投入用扉２２ａを開いたとき、蓄積部２５内に溜められたごみ２５ａが使用者の視界２６に入らないようにできる。
【００６０】
また、隠蔽手段３は、投入用扉２２ａに設けられ、収集部２内のごみ２５ａが視界２６に入らないように遮る遮蔽部３１であることが好ましい。
【００６１】
これにより、使用者が投入用扉２２ａを開いたとき、使用者の視界２６を遮蔽部３１が遮ることができる。
【００６２】
また、隠蔽手段３は、投入口２２と連通する配管３２に設けられ、収集部２内のごみ２５ａが視界２６に入らないように遮る配管３２の内壁であることが好ましい。
【００６３】
これにより、使用者が投入用扉２２ａを開いたとき、使用者の視界２６を配管３２の内壁が遮ることができる。
【００６４】
便器装置は、便器１と、便器１の外面に内側に凹没して設けられごみ２５ａを収集する収集部２と、を備える。収集部２は、ごみ２５ａを投入する投入口２２と、投入口２２を開閉自在に覆う投入用扉２２ａと、投入口２２の下方に配置されごみ２５ａを蓄積する蓄積部２５と、を有する。投入口２２と蓄積部２５は、投入口２２から蓄積部２５に溜められたごみ２５ａに届く光が所定量以下になるように、所定距離をあけて配置されることを特徴とする。
【００６５】
これにより、所定量以下の光しかごみ２５ａに当たらなくなるので、目では認識できなくすることができる。
【００６６】
また、収集部２は、投入口２２より下方に位置しごみ２５ａを回収するための回収口２３を備え、回収口２３は、回収用扉２３ａにより開閉自在に覆われることが好ましい。
【００６７】
これにより、収集部２内に溜まったごみ２５ａが回収し易くなる。
【００６８】
また、回収用扉２３ａには、施錠手段が取付けられることが好ましい。
【００６９】
これにより、回収用扉２３ａのセキュリティが向上し、ごみ２５ａが他人に見られることを抑制できる。
【００７０】
また、収集部２には、投入口２２から投入されたごみ２２ａをパッキングするパック装置４が設置されることが好ましい。
【００７１】
これにより、蓄積部２５に溜まるごみ２５ａから発生する悪臭が漏れることを抑制できる。
【００７２】
また、収集部２には、内部空間に帯電微粒子水７１を散布するための静電霧化装置７が設置されることが好ましい。
【００７３】
これにより、帯電微粒子水７１が蓄積部２５に溜められたごみ２５ａの悪臭を抑制することができる。
【符号の説明】
【００７４】
１    便器
２    収集部
２２  投入口
２２ａ  投入用扉
２３  回収口
２３ａ  回収用扉
２５  蓄積部
２５ａ  ごみ
２６  視界
２８  通過隙間
３    隠蔽手段
３１  遮蔽部
３２  配管
４    パック装置
５    便器本体
６    スカート部
７    静電霧化装置
【図１】
2016011545.tif 000003
【図２】
2016011545.tif 000004
【図３】
2016011545.tif 000005
【図４】
2016011545.tif 000006
【図５】
2016011545.tif 000007
【図６】
2016011545.tif 000008
【図７】
2016011545.tif 000009
【図８】
2016011545.tif 000010
【図９】
2016011545.tif 000011